(57)【要約】【課題】設定されている洗浄強さを使用者が認識し易い温水洗浄装置を提供する。【解決手段】リモコン１の画面６には、洗浄強さ表示部７が表示されている。着座センサのＯＮが検出されると、洗浄強さ表示部７が点灯する（ステップ６０，６１）。着座センサのＯＦＦが検出されると、洗浄強さ表示部７が消灯する（ステップ６２，６５）。着座センサがＯＮの状態において、洗浄強さが変更されると、洗浄強さ表示部７の表示訂正が行なわれる（ステップ６２〜６４）。【選択図】  図２
2004270221.tif 000002
【特許請求の範囲】
【請求項１】
温水洗浄の強さを調節する洗浄強さ調節手段と、洗浄を開始させる洗浄スイッチと、洗浄を停止させるストップスイッチとを有する温水洗浄装置において、
設定されている洗浄強さを使用者に認識させる洗浄強さ報知手段と、便座への着座を検知する着座検知手段とを有しており、
該着座検知手段が着座を検知したときに該洗浄強さ報知手段が作動することを特徴とする温水洗浄装置。
【請求項２】
温水洗浄の強さを調節する洗浄強さ調節手段と、洗浄を開始させる洗浄スイッチと、洗浄を停止させるストップスイッチとを有する温水洗浄装置において、
設定されている洗浄強さを使用者に認識させる洗浄強さ報知手段を有しており、
該洗浄スイッチが操作されたときに該洗浄強さ報知手段が作動することを特徴とする温水洗浄装置。
【請求項３】
請求項２において、該洗浄スイッチが操作されると該洗浄強さ報知手段が作動し、その後さらに該洗浄スイッチが操作されると、洗浄が開始することを特徴とする温水洗浄装置。
【請求項４】
請求項２において、該洗浄スイッチが操作されると該洗浄強さ報知手段が作動し、その後所定時間が経過すると洗浄が開始することを特徴とする温水洗浄装置。
【請求項５】
請求項２ないし４のいずれか１項において、該洗浄スイッチの操作前に前記洗浄強さ調節手段が操作された場合、その後、所定時間内に洗浄スイッチが操作されたときには、該洗浄強さ報知手段は作動せず、設定されている温水洗浄強さで洗浄作動することを特徴とする温水洗浄装置。
【請求項６】
請求項２ないし５のいずれか１項において、前記ストップスイッチが操作された後に所定時間内に該洗浄スイッチが操作された場合には、該洗浄強さ報知手段は作動せず、設定されている温水洗浄強さで洗浄作動することを特徴とする温水洗浄装置。
【請求項７】
請求項２ないし５のいずれか１項において、該温水洗浄装置は着座検知手段を有しており、着座中における２回目以降の温水洗浄操作のときには該洗浄強さ報知手段が作動することなく洗浄作動することを特徴とする温水洗浄装置。
【請求項８】
請求項２ないし７のいずれか１項において、着座検知手段が設けられており、
前記洗浄強さ調節手段が操作された後所定時間以上非着座状態となった場合には、その後洗浄スイッチが操作されたときに前記洗浄強さ報知手段が作動することを特徴とする温水洗浄装置。
【請求項９】
請求項１ないし８のいずれか１項において、洗浄強さ調節手段で設定された洗浄強さが所定強さ以上である場合に限り前記洗浄強さ報知手段の作動が実行されることを特徴とする温水洗浄装置。
【請求項１０】
請求項１ないし８のいずれか１項において、前記洗浄強さ調節手段で設定された洗浄強さにかかわりなく前記浄強さ報知手段が作動することを特徴とする温水洗浄装置。
【請求項１１】
請求項１ないし１０のいずれか１項において、前記洗浄強さ報知手段は音、光又は振動により洗浄強さを報知するものであることを特徴とする温水洗浄装置。
【発明の詳細な説明】
【０００１】
【発明の属する技術分野】
本発明は、洋風便器に設置され、人体の臀部に向ってノズルから温水を噴出させて洗浄を行う温水洗浄装置（衛生洗浄装置、局部洗浄装置とも称されることがある。）に関する。詳しくは、設定されている洗浄強さを使用者に認識させる洗浄強さ報知手段を備えた温水洗浄装置に関する。
【０００２】
【従来の技術】
温水洗浄装置は、周知のとおり温水タンクあるいは給湯管などの温水源からの温水をポンプ又は給湯水圧を利用して洗浄ノズルに導き、該洗浄ノズル先端の噴出口から上方ないし斜め上方に噴出させるよう構成されている。
【０００３】
従来の温水洗浄装置の一例（特開平１１−１８１８６０号公報）について第６図を参照して説明する。
【０００４】
第６図（ａ）は、便座ボックスを用いて洋風便器に温水洗浄装置を取り付けた従来例を示す斜視図であり、この便座ボックス１０は、洋風便器１１の便鉢の後部上面に設置される本体１２と、本体１２から張り出す張出部１３とを有し、この張出部１３の上面にスイッチパネル（銘板）１４が設けられている。
【０００５】
便座ボックス本体１２には、洗浄ノズル１５，１６及び温風乾燥ファン（図示略）等が設けられている。また、この本体１２には、便座１７、便蓋１８が上下方向に回動可能に取り付けられている。１９は洋風便器１１の最後部上面に設置されたロータンクを示す。
【０００６】
張出部上面のスイッチパネル１４には、第６図（ｂ）に示す如く、肛門洗浄（シャワー洗浄）、ビデ洗浄、温風乾燥等の作動をストップさせるストップスイッチ２０、肛門洗浄用操作スイッチ２１、ビデ洗浄用操作スイッチ２２、温風を吹き出させるドライスイッチ２３、洗浄の広がりを調整するためのワイド洗浄入／切スイッチ２４、洗浄位置前進スイッチ２５、その後退スイッチ２６、便座の温度を調整するための便座温度調節スイッチ２７、洗浄強さを調整するダイヤル２８、シャワー等の水温を調整する温水温度調節スイッチ２９等が配置されている。
【０００７】
ダイヤル２８の外周縁には、ダイヤル２８の指向方向の指示部２８ａが設けられている。スイッチパネル１４の表面には、ダイヤル２８の外周に沿って、略半円弧状の曲線２８ｂが設けられている。この曲線２８ｂは、時計回り方向に次第に線幅が大きくなっている。
【０００８】
このような温水洗浄装置において、ダイヤル２８の指向方向指示部２８ａが曲線２８ｂのどの位置を指向しているかによって、現在設定されている洗浄強さを認識することができる。
【０００９】
また、特開平１１−５２８９２号公報には、リモコンに洗浄の弱スイッチ、中スイッチ及び強スイッチを配置すると共に、操作されたスイッチを点灯させ、作動中の機能を識別できるよう構成した温水洗浄装置が記載されている。
【００１０】
第７図は同号公報のリモコンの正面図である。このリモコン３４は、肛門洗浄水を噴出させるためのシャワー操作部３６、ビデ洗浄水を噴出させるためのチャーム操作部３８、乾燥用の温風を吹き出させるためのドライ操作部４０、衛生洗浄装置における各種動作を停止させるためのストップスイッチ４２、ノズルの前後位置を調整するための前後位置調節スイッチ４４ａ，４４ｂ、ノズルからの洗浄水を広く噴出させて局部洗浄させるためのワイド洗浄をＯＮ、ＯＦＦさせるためのワイド洗浄入／切スイッチ４６、便座を開閉作動させるための便座開閉スイッチ４８及び便器のフラッシュ洗浄を行わせるための大用フラッシュスイッチ５０ａ及び小用フラッシュスイッチ５０ｂを備えている。
【００１１】
シャワー操作部３６及びチャーム操作部３８は、洗浄水の噴出強さを弱、中、強にそれぞれ選択するスイッチ３６ａ、３６ｂ、３６ｃ及び３８ａ、３８ｂ、３８ｃから成っている。またドライ操作部４０は、乾燥用温風の吹出強さ（吹出空気量）を弱、中、強に選択するスイッチ４０ａ、４０ｂ、４０ｃから成っている。
【００１２】
各スイッチ３６ａ〜３６ｃ、３８ａ〜３８ｃ、４０ａ〜４０ｃの裏側には、光源が設けられている。これらのスイッチ３６ａ〜３６ｃ、３８ａ〜３８ｃ、４０ａ〜４０ｃのうちの１個を操作すると、操作したスイッチの裏側の光源が点灯される。これにより、選択した洗浄強さ（温水の噴出強さ）を知ることができる。
【００１３】
【特許文献１】
特開平１１−１８１８６０号
【特許文献２】
特開平１１−５２８９２号
【００１４】
【発明が解決しようとする課題】
上記特開平１１−１８１８６０号公報のように、ダイヤル２８の指向方向指示部２８ａの向きによってシャワー洗浄やビデ洗浄の洗浄強さを表示する温水洗浄装置にあっては、このダイヤル２８を注意して見ない限り、使用者は設定されている洗浄強さが分らない。このため、設定されている洗浄強さを認識することなく、洗浄用のスイッチ２又は３を操作し、予期せず温水が強く噴出して不快な思いをすることがある。
【００１５】
一方、特開平１１−５２８９２号公報のように洗浄水の噴出強さ毎にスイッチを設けると、スイッチの数が多くなり、コスト高となったり、リモコンを小型化しにくくなることがある。
【００１６】
本発明は上記問題点を解決し、設定されている洗浄強さを使用者が認識し易く、しかもスイッチの個数が少なくて足りる温水洗浄装置を提供することを目的とする。
【００１７】
【課題を解決するための手段】
本発明（請求項１）の温水洗浄装置は、温水洗浄の強さを調節する洗浄強さ調節手段と、洗浄を開始させる洗浄スイッチと、洗浄を停止させるストップスイッチとを有する温水洗浄装置において、設定されている洗浄強さを使用者に認識させる洗浄強さ報知手段と、便座への着座を検知する着座検知手段とを有しており、該着座検知手段が着座を検知したときに該洗浄強さ報知手段が作動することを特徴とするものである。
【００１８】
かかる請求項１の温水洗浄装置によると、使用者は設定されている洗浄強さを着座時に確実に認識することができる。従って、設定されている洗浄強さが使用者の意に沿わない場合、使用者は洗浄開始前に余裕をもって洗浄強さ調節手段を調節しておくことができる。
【００１９】
本発明（請求項２）の温水洗浄装置は、温水洗浄の強さを調節する洗浄強さ調節手段と、洗浄を開始させる洗浄スイッチと、洗浄を停止させるストップスイッチとを有する温水洗浄装置において、設定されている洗浄強さを使用者に認識させる洗浄強さ報知手段を有しており、該洗浄スイッチが操作されたときに該洗浄強さ報知手段が作動することを特徴とするものである。
【００２０】
かかる請求項２の温水洗浄装置によれば、使用者は設定されている洗浄強さを洗浄開始時に確実に認識することができる。
【００２１】
この請求項２の温水洗浄装置にあっては、該洗浄スイッチが操作されると該洗浄強さ報知手段が作動し、その後さらに該洗浄スイッチが操作されると、洗浄が開始するよう構成されてもよい（請求項３）。このように構成すると、洗浄スイッチが操作されると、洗浄強さ報知手段は作動するが、再度洗浄スイッチが操作されるまで洗浄は開始されない。従って、洗浄強さが意に沿わない場合は洗浄強さを調節し直してから洗浄を開始させることができ、予期せぬ洗浄強さで温水が噴出して不快な思いをすることが防止される。
【００２２】
また、請求項２の温水洗浄装置にあっては、該洗浄スイッチが操作されると該洗浄強さ報知手段が作動し、その後所定時間が経過すると洗浄が開始するよう構成されてもよい（請求項４）。このように構成すると、洗浄スイッチを操作して洗浄強さ報知手段が作動してから洗浄が開始するまでの所定時間内に、洗浄強さ調節手段を調節することができる。この所定時間が経過すると、自動的に温水洗浄が開始するので、改めて洗浄スイッチを操作することが不要である。
【００２３】
請求項２ないし４の温水洗浄装置にあっては、該洗浄スイッチの操作前に洗浄強さ調節手段が操作された場合、その後、所定時間内に洗浄スイッチが操作されたときには、該洗浄強さ報知手段は作動せず、設定されている温水洗浄強さで洗浄作動するよう構成してもよい（請求項５）。
【００２４】
このように構成した場合、使用者が予め洗浄強さ調節手段を調節してから洗浄スイッチを操作した場合は、洗浄強さ報知手段が作動することなく直ちに洗浄が開始される。従って、使用者は、自分が知っている洗浄強さを改めて報知されることがない。また、洗浄開始までしばらく待たされたりすることを防止することもできる。
【００２５】
請求項２ないし５の温水洗浄装置にあっては、ストップスイッチが操作された後に所定時間内に洗浄スイッチが操作された場合には、洗浄強さ報知手段は作動せず、設定されている温水洗浄強さで洗浄作動するよう構成してもよい（請求項６）。
【００２６】
このように構成した場合、ストップスイッチを操作して第１回目の洗浄を終了させた後に、再洗浄すべく再度洗浄スイッチを操作すると、第１回目の洗浄の際に設定された洗浄強さで直ちに洗浄が再開される。第３回目以降の洗浄の際も同様である。
【００２７】
請求項２ないし５の温水洗浄装置においては、着座中における２回目以降の温水洗浄操作のときには洗浄強さ報知手段が作動することなく洗浄が開始するよう構成してもよい（請求項７）。
【００２８】
このように構成した場合にも、一度洗浄を終了した後に再度洗浄スイッチを操作すると、洗浄強さ報知手段が作動することなく、最初の洗浄の際に設定された洗浄強さで直ちに洗浄が再開される。
【００２９】
請求項２ないし７の温水洗浄装置においては、洗浄強さ調節手段が操作された後所定時間以上非着座状態となった場合には、その後洗浄スイッチが操作されたときに洗浄強さ報知手段が作動するよう構成してもよい（請求項８）。この場合の所定時間とは、使用者が入れ替わる程度の時間であり、例えば１０〜３０秒の間から選択される。
【００３０】
このように構成した場合、前の使用者が便座から離れてから次の使用者が着座するまでには該所定時間以上経過しているため、該次の使用者が洗浄スイッチを操作したときに、確実に洗浄強さ報知手段が作動する。なお、洗浄強さ調節後に着座者が例えばペーパー交換等のために若干の間腰を浮かす程度の短時間（該所定時間よりも短い時間）の非着座があっても、洗浄スイッチ操作時に洗浄強さ報知手段は作動しない。
【００３１】
本発明の温水洗浄装置は、洗浄強さ調節手段で設定された洗浄強さが所定強さ以上である場合に洗浄強さ報知手段が作動するようにしてもよく（請求項９）、洗浄強さ調節手段で設定された洗浄強さにかかわりなく洗浄強さ報知手段が作動するようにしてもよい（請求項１０）。
【００３２】
本発明の洗浄強さ報知手段は音、光又は振動により洗浄強さを報知するものであることが好ましい（請求項１１）。この振動としては便座の振動が好適である。
【００３３】
【発明の実施の形態】
以下、図面を参照して本発明の実施の形態について説明する。
【００３４】
第１図は実施の形態に係る温水洗浄装置のリモコンの正面図であり、第２図は請求項１の実施の形態に係る温水洗浄装置の作動内容を示すフローチャートである。
【００３５】
なお、本実施の形態に係る温水洗浄装置のリモコン以外の構成は、便座の裏側に着座センサを設けた他は第６図に示す従来の温水洗浄装置と同様であるため、これらの構成の説明は省略する。
【００３６】
リモコン１の正面の下部には、シャワースイッチ２と、ビデスイッチ３と、シャワー洗浄及びビデ洗浄を停止させるためのストップスイッチ４と、シャワー洗浄及びビデ洗浄の洗浄強さを調節するための洗浄強さ調節ダイヤル５が設けられている。
【００３７】
リモコン１の正面の上部には液晶よりなる表示画面６が設けられている。この画面６には、洗浄強さ報知手段としての洗浄強さ表示部７が表示されている。この洗浄強さ表示部７は右側に行くに従って高くなる点灯／消灯可能な６本のバーからなっている。これらのバーの点灯状態は、ダイヤル５の操作に応じて変化するように構成されている。即ち、ダイヤル５を最も反時計方向に回転させると左端にある最も短いバーのみが点灯し、ダイヤル５を時計方向に回転させるに従って順次右隣のバーが点灯して行き、ダイヤル５を最も時計方向に回転させると全てのバーが点灯するようになっている。この画面６の洗浄強さ表示部７以外の部分には、必要に応じて日付、曜日、時刻、温水タンク（図示略）内の温水の水温、便座温度等が表示されるようになっている。
【００３８】
リモコン１の上面には、大用フラッシュスイッチ８ａ及び小用フラッシュスイッチ８ｂの２個のフラッシュスイッチ８と、便座／便蓋開閉スイッチ９とが設けられている。
【００３９】
かかる構成のリモコンを有した温水洗浄装置の作動内容を第２図を用いて説明する。
【００４０】
温水洗浄装置の電源がＯＮとされた状態において、まずステップ６０において、着座センサがＯＮかＯＦＦかが判定される。着座センサがＯＦＦの場合は、着座センサがＯＮとなるまで待機する。
【００４１】
着座センサのＯＮが検出されるとステップ６０からステップ６１に進み、その時点でのダイヤル５の洗浄強さを洗浄強さ表示部７にて表示した後、ステップ６２に進む。
【００４２】
このステップ６２では、依然として着座センサがＯＮの状態が継続しているかどうかを判定する。着座センサがＯＮである場合、ステップ６３に進み、ダイヤル５が操作されて洗浄強さが変更されたかどうかチェックし、洗浄強さに変更がなければステップ６２に戻る。洗浄強さが変更された場合には、ステップ６４にて表示部７の表示を変更した後、ステップ６２に戻る。
【００４３】
ステップ６２にて着座センサのＯＦＦが検出されると、ステップ６２から６５に進み、洗浄強さ表示部７を消灯させてから、ステップ６０に戻る。なお、ステップ６２〜６４の間にシャワースイッチ２又はビデスイッチ３が押されると、温水がノズルから噴出し、ストップスイッチ４が押されると温水噴出が停止する。
【００４４】
上記の通り、本実施の形態に係る温水洗浄装置によると、着座センサがＯＮの状態となっている間、即ち、使用者が着座している間、リモコン１の画面６上に洗浄強さ表示部７が点灯しているため、使用者は設定されている洗浄強さを確実に認識することができる。従って、設定されている洗浄強さが意に沿わない場合、使用者は洗浄を開始する前に、余裕をもってダイヤル５を操作し、洗浄強さを調節しておくことができる。また、非着座時には洗浄強さ表示部７が点灯しないため、省エネルギー化が図れると共に、画面６内の他の表示が見やすくなる。
【００４５】
第３図は請求項２，３，４の実施の形態に係る温水洗浄装置の作動内容を示すフローチャートである。まずステップ７０において、シャワースイッチ２又はビデスイッチ３が操作されたかどうかが判定され、スイッチ２又は３が操作されるまで待機する。
【００４６】
スイッチ２又は３が操作されると、ステップ７０からステップ７１に進み、洗浄強さ表示部７を点灯させた後、ステップ７２に進む。
【００４７】
このステップ７２では、上記スイッチ２又は３が操作されてから５秒が経過したかどうかを判定する。
【００４８】
ステップ７２において、スイッチ２又は３を操作してから５秒経過していないときは、このステップ７２からステップ７３に進み、スイッチ２又は３を再度押したかどうかを判定する。再押していないときにはステップ７３からステップ７２に戻る。再度押したときは、このステップ７３からステップ７４に進み、洗浄ノズル１５又は１６から温水を噴出させる。ステップ７２において５秒を経過したときは、ステップ７２からステップ７４に進み、洗浄ノズル１５又は１６から温水を噴出させる。
【００４９】
ステップ７４にて温水を噴出させた後は、ステップ７５に進み、ストップスイッチ４が押されると温水噴出を停止すると共に表示部７を消灯し（ステップ７６）、次いでステップ７０に戻る。なお、図示はしないが、ステップ７２〜７５の間にダイヤル５が操作されたときには、前記ステップ６３，６４の場合と同様に、表示部７の表示を訂正する。
【００５０】
この第３図の作動内容にあっては、シャワースイッチ２又はビデスイッチ３を操作すると画面６の洗浄強さ表示部７が点灯するため、使用者は確実に設定されている洗浄強さを認識することができる。また、洗浄強さ表示部７が点灯してから５秒間は洗浄が開始されないため、この間にダイヤル５を回転させて洗浄強さを調節することができる。このため、予期せぬ洗浄強さの温水が直ちに噴出して使用者が不快な思いをすることが防止される。なお、スイッチ２又は３の操作後５秒経過前であっても、予め設定されている洗浄強さが使用者の意に沿っている場合や、洗浄強さの調節が早期に完了した場合には、シャワースイッチ２又はビデスイッチ３を再度操作することにより、直ちに洗浄が開始される。このため、洗浄開始まで５秒間待たされることをなくすことができる。なお、本作動内容における５秒は一例であって、これに限定されるものではなく、好ましくは３〜１０秒程度の間から選定されればよい。
【００５１】
第４図は請求項６，７，８の実施の形態を示している。
【００５２】
第３図では、ストップスイッチ４を押すと、温水噴出を停止すると共に表示部７を消灯し、ステップ７６からステップ７０に戻り、再度同一の制御を行うようにしているが、第４図のように、第１回目洗浄から短時間のうちに第２回目以降の再洗浄を行うときには、５秒待機を行うことなくスイッチ２，３の操作後、直ちに温水噴出を行うようにしてもよい（請求項６）。
【００５３】
第４図では、前回の温水洗浄の停止（ステップ７５，７６）後、ステップ７７，７８に進み、２０秒間待機し、この間にスイッチ２，３が押されなければ、ステップ７８からステップ７０に戻る。また、この間にスイッチ２，３が押されたときには、ステップ７７からステップ７９を経てステップ７４に進み、直ちに表示部７を点灯すると共に、温水噴出を開始する。
【００５４】
なお、図示はしないが、ステップ７７〜７９の間にダイヤル５が操作されたときには、ステップ７９での表示は変更後の洗浄強さを示すものとなる。第４図のその他の内容は第３図と同じである。
【００５５】
なお、第４図の２０秒は一例であり、これに限定されるものではない。
【００５６】
第４図の如く２０秒だけ待つのではなく、連続して着座しているときには、第２回目以降のスイッチ２又は３の操作時に、洗浄強さ表示なしに直ちに温水噴出してもよい（請求項７）。
【００５７】
なお、第４図において、ステップ７７〜７８の間に所定時間以上（例えば３０秒以上）の離座が生じたときにはステップ７０に戻るようにしてもよい（請求項８）。
【００５８】
第５図は請求項２，３，４，５の実施の形態に係る温水洗浄装置の作動内容を示すフローチャートである。まず、ステップ８０において、着座センサがＯＮかＯＦＦかが判定される。着座センサがＯＦＦの場合は、着座センサがＯＮとなるまで待機する。着座センサのＯＮが検出されると、ステップ８０からステップ８１に進み、ダイヤル５が操作されたかどうかが判定される。
【００５９】
ステップ８１においてダイヤル５が操作されていない場合は、ステップ８１からステップ８２に進み、スイッチ２又は３が操作されたかどうかが判定される。ここで、スイッチ２又は３のいずれも操作されない場合は、ステップ８０に戻る。ダイヤル５又はスイッチ２，３のいずれかが操作されるまで、ステップ８０〜８２が繰り返される。
【００６０】
ステップ８２においてスイッチ２又は３が操作されると、ステップ７１に進み、表示部７が点灯する（請求項２）。その後、ステップ７１から７６までは、第３図（請求項２，３，４の実施の形態）の同一符号が付されたステップと同様の手順に従い、洗浄強さ表示部７の点灯及び温水の噴出が行われる。そして、ステップ７６において温水の噴出を停止すると共に洗浄強さ表示部７を消灯した後、ステップ８０に戻る。
【００６１】
ステップ８１においてダイヤル５が操作されると、ステップ８３で洗浄強さ表示部７を点灯させた後、ステップ８４に進み、ダイヤル５の操作後５秒間が経過したかどうかが判定される。５秒間が経過している場合はステップ８５において洗浄強さ表示部７を消灯させた後に、５秒間が経過していない場合はステップ８５を経由せずに、ステップ８６に進み、ダイヤル５が再操作されたかどうかが判定される。ダイヤル５が再操作された場合はステップ８３に戻り、再度洗浄強さ表示部７を点灯させる。このように、ステップ８３〜８６において、ダイヤル５を複数回操作した場合であっても、各操作毎に５秒間だけ洗浄強さ表示部７が点灯する。
【００６２】
ステップ８６においてダイヤル５が再操作されていない場合は、ステップ８７に進み、ダイヤル５を最後に操作してから５分間が経過したかどうかが判定される。５分間が経過しているときは、ステップ８７からステップ８０に戻る。５分間が経過していないときには、ステップ８７からステップ８８に進み、スイッチ２又は３が操作されたかどうかが判定される。スイッチ２又は３が操作された場合は、ステップ８８からステップ７４に進み、温水を噴出させる（請求項５）。その後、ステップ７４から７６においては、上述した通り、温水の噴出／停止及び洗浄強さ表示部７の点灯／消灯が行われ、その後ステップ８０に戻る。ステップ８８においてスイッチ２又は３が操作されなかった場合は、ステップ８４に戻る。
【００６３】
この第５図の作動内容にあっては、予めダイヤル５を操作してから５分以内にスイッチ２又は３を操作すると、改めて洗浄強さ表示部７が点灯することなく、且つ直ちに温水が噴出する。従って、使用者が着座後の早期に自己の意に沿う洗浄強さに調節している場合、その後にスイッチ２又は３を操作すると改めて洗浄強さ表示部７が表示されたり、操作後から洗浄開始まで５秒間待たされたりすることがない。
【００６４】
着座後、ダイヤル５を操作することなくスイッチ２又は３を操作した場合は、第３図の場合と同様に、画面６の洗浄強さ表示部７が点灯すると共に、洗浄強さ表示部７が点灯してから５秒間は洗浄が開始されないため、この間にダイヤル５を回転させて洗浄強さを調節することができる。
【００６５】
また、最後にダイヤル５を操作してから５分が経過すると、最初のステップ（ステップ８０）に戻る。従って、例えば、前の使用者が着座してダイヤル５を操作したもののスイッチ２又は３を操作することなく立ち去った場合であっても、次の使用者がスイッチ２又は３を操作するときには前の使用者がダイヤル５を操作してから５分以上経過している。このため、画面６の洗浄強さ表示部７が点灯すると共に、洗浄強さ表示部７が点灯してから５秒間は洗浄が開始されない。
【００６６】
なお、上記実施の形態は本発明の一例であり、本発明はその他の構成とされてもよいことは明らかである。例えば、上記実施の形態の作動内容では、設定された洗浄強さにかかわらず同様の作動内容であった（請求項１０）が、洗浄強さが弱（例えば第１図の洗浄強さ表示部７のバーが１〜２本点灯）の場合は、ダイヤル５を操作することなくスイッチ２又は３を操作しても直ちに温水が噴出するようにしてもよい（請求項９）。
【００６７】
上記実施の形態では、リモコンに洗浄強さ表示部７を設けたが、便座ボックス本体のスイッチパネルにこの洗浄強さ表示部７を設けてもよく、リモコンとスイッチパネルの両方に設けてもよい。
【００６８】
上記実施の形態では、洗浄強さ報知手段として洗浄強さ表示部７を採用したが、これに限定されるものではなく、音声、ブザー、光の点滅、振動等であってもよい（請求項１１）。例えば、洗浄強さ報知手段として音声を採用する場合には、リモコンや便座ボックスにスピーカを内蔵させる。そして、着座時や、各種スイッチ等（シャワースイッチ、ビデスイッチ、洗浄強さ調節ダイヤル等）の操作時に、「洗浄強さは４です」や「洗浄強さは強です」等の音声を流して設定されている洗浄強さを使用者に認識させたり、「洗浄強さを設定してください」や「洗浄強さはこれで良いですか？」等の音声を流して使用者が洗浄強さの調節をし忘れることを防止する。洗浄強さ報知手段としてブザーを採用する場合には、設定されている洗浄強さに応じて複数回（例えば、洗浄強さが「３」の場合は３回、「５」の場合は５回。）ブザーを鳴らして設定されている洗浄強さを使用者に認識させたり、ブザーを１回だけ鳴らして洗浄強さの調節し忘れを防止する。また、上記ブザーを複数回ないし１回鳴らす代わりに、便座に設けた振動装置を複数回ないし１回振動させたり、リモコンや便座ボックスのタッチパネルに設けられた発光素子を複数回ないし１回点滅させたりしてもよい。
【００６９】
【発明の効果】
以上の通り、本発明によると、設定されている洗浄強さを使用者が認識し易い温水洗浄装置を提供することができる。
【図面の簡単な説明】
【図１】実施の形態に係る温水洗浄装置のリモコンの正面図である。
【図２】実施の形態に係る温水洗浄装置の作動内容を示すフローである。
【図３】別の実施の形態に係る温水洗浄装置の作動内容を示すフローである。
【図４】さらに別の実施の形態に係る温水洗浄装置の作動内容を示すフローである。
【図５】異なる実施の形態に係る温水洗浄装置の作動内容を示すフローである。
【図６】従来の温水洗浄装置を説明する図面である。
【図７】別の従来の温水洗浄装置のリモコンの正面図である。
【符号の説明】
１  リモコン
２  シャワースイッチ
３  ビデスイッチ
４  ストップスイッチ
５  ダイヤル
６  画面
７  洗浄強さ表示部
８  フラッシュスイッチ
９  便座／便蓋開閉スイッチ
【図１】
2004270221.tif 000003
【図２】
2004270221.tif 000004
【図３】
2004270221.tif 000005
【図４】
2004270221.tif 000006
【図５】
2004270221.tif 000007
【図６】
2004270221.tif 000008
【図７】
2004270221.tif 000009